(57)【要約】【課題】物体を評価するのに利便性の点で有利な計測装置を提供する。【解決手段】計測装置は、物体の複数種類の特性を計測する計測部と、前記複数種類の特性の各々が許容範囲内にあるか判定を行い、前記判定の結果を論理変数とする論理式に基づいて、前記物体の評価を行う処理部と、ユーザによる入力に基づいて前記論理式を設定する論理式設定部とを含む。【選択図】図４
2018112533.tif 000002
【特許請求の範囲】
【請求項１】
計測装置であって、
物体の複数種類の特性を計測する計測部と、
前記複数種類の特性の各々が許容範囲内にあるか判定を行い、前記判定の結果を論理変数とする論理式に基づいて、前記物体の評価を行う処理部と、
ユーザによる入力に基づいて前記論理式を設定する論理式設定部と、
を含むことを特徴とする計測装置。
【請求項２】
ユーザによる入力に基づいて前記許容範囲を設定する範囲設定部を更に含むことを特徴とする請求項１に記載の計測装置。
【請求項３】
前記判定の結果と前記評価の結果とを出力する出力部を含むことを特徴とする請求項１又は２に記載の計測装置。
【請求項４】
前記出力部は、前記判定の結果として、前記複数種類の特性のうち前記許容範囲内にない特性と前記許容範囲内にある特性とを識別可能に出力することを特徴とする請求項３に記載の計測装置。
【請求項５】
前記出力部は、前記判定の結果と前記評価の結果とを表示部に表示させることを特徴とする請求項３又は４に記載の計測装置。
【請求項６】
前記複数種類の特性のそれぞれは、前記物体の面の反射特性を含むことを特徴とする請求項１乃至５のうちいずれか１項に記載の計測装置。
【請求項７】
前記反射特性は、鏡面光沢度、ヘイズ、ＤＯＩ、写像性、ＢＲＤＦの半値幅、反射率およびうねりのうちのいずれかを含むことを特徴とする請求項６に記載の計測装置。
【請求項８】
前記論理式設定部は、前記複数種類の反射特性のうちいずれかが許容範囲内にあれば合格に相当する真理値を有する論理式を設定できることを特徴とする請求項１乃至７のうちいずれか１項に記載の計測装置。
【請求項９】
前記論理式設定部は、論理演算子として論理和を含む論理式を設定できることを特徴とする請求項１乃至７のうちいずれか１項に記載の計測装置。
【請求項１０】
物体の複数種類の特性に基づいて、前記物体の評価を行う情報処理装置であって、
前記複数種類の特性の各々が許容範囲内にあるか判定を行う判定部と、
前記判定の結果を論理変数とする論理式に基づいて、前記物体の評価を行う評価部と、
前記評価部で使用される前記論理式をユーザによる入力に基づいて設定する設定部と、
を含むことを特徴とする情報処理装置。
【請求項１１】
物体の複数種類の特性に基づいて、前記物体の反射特性の総合的な評価を行う情報処理方法であって、
前記複数種類の特性の各々が許容範囲内にあるか判定を行う判定工程と、
前記判定の結果を論理変数とする論理式に基づいて、前記物体の評価を行う評価工程と、
前記評価工程で使用される前記論理式をユーザによる入力に基づいて設定する設定工程と、
を含むことを特徴とする情報処理方法。
【請求項１２】
請求項１１に記載の情報処理方法の各工程をコンピュータに実行させるためのプログラム。
【発明の詳細な説明】
【技術分野】
【０００１】
本発明は、計測装置、情報処理装置、情報処理方法、およびプログラムに関する。
【背景技術】
【０００２】
印刷面や塗装面、製品外面などの面の評価は、当該面の反射特性を示す複数種類の指標値に基づいて行われる。当該複数種類の指標値は、ＪＩＳやＩＳＯで規定されており、例えば鏡面光沢度、ヘイズ、ＤＯＩ（Distinctness of Image）、写像性などを含みうる。特許文献１には、上記のような反射特性を示す複数種類の指標値を計測する計測装置が提案されている。
【先行技術文献】
【特許文献】
【０００３】
【特許文献１】特開２０１４−１２６４０８号公報
【発明の概要】
【発明が解決しようとする課題】
【０００４】
従来の計測装置では、計測した物体の複数種類の特性を表示するだけであり、ユーザは、表示された複数種類の特性を参照しながら物体の評価を行っていた。しかしながら、ユーザは、複数種類の特性を参照するだけでは、それらの特性が、当該物体について要求される許容範囲にそれぞれ収まっているのか否かを一見して判断することができず、物体の評価を容易に且つ迅速に行うことが困難であった。
【０００５】
そこで、本発明は、物体を評価するのに利便性の点で有利な計測装置を提供することを例示的目的とする。
【課題を解決するための手段】
【０００６】
上記目的を達成するために、本発明の一側面としての計測装置は、物体の複数種類の特性を計測する計測部と、前記複数種類の特性の各々が許容範囲内にあるか判定を行い、前記判定の結果を論理変数とする論理式に基づいて、前記物体の評価を行う処理部と、ユーザによる入力に基づいて前記論理式を設定する論理式設定部と、を含むことを特徴とする。
【０００７】
本発明の更なる目的又はその他の側面は、以下、添付図面を参照して説明される好ましい実施形態によって明らかにされるであろう。
【発明の効果】
【０００８】
本発明によれば、例えば、物体を評価するのに利便性の点で有利な計測装置を提供することができる。
【図面の簡単な説明】
【０００９】
【図１】計測システムの外観図である。
【図２】計測システムの構成を示すブロック図である。
【図３】計測部の構成を示す図である。
【図４】複数の計測結果の一覧が表示される画面の一例を示す図である。
【図５】許容範囲を設定する際に表示される画面を示す図である。
【図６】ヒストグラムが表示された画面を示す図である。
【発明を実施するための形態】
【００１０】
以下、添付図面を参照して、本発明の好適な実施の形態について説明する。なお、各図において、同一の部材ないし要素については同一の参照番号を付し、重複する説明は省略する。
【００１１】
＜第１実施形態＞
本発明に係る計測システム１００（計測装置）の構成について、図１および図２を参照しながら説明する。図１は、本実施形態の計測システム１００の外観図であり、図２は、計測システム１００の構成を示すブロック図である。計測システム１００は、例えば、計測装置１０と情報処理装置１８（コンピュータ）とを含みうる。情報処理装置１８は、例えば、ＣＰＵ等を有する処理部１８ａと、メモリ等を有する記憶部１８ｂと、計測装置１０で得られた計測結果を出力する出力部１８ｃと、マウスやキーボード等を有する入力部１８ｄと、通信Ｉ／Ｆ１８ｅを含みうる。情報処理装置１８は、無線やケーブルにより通信Ｉ／Ｆ１８ｅを介して計測装置１０（制御部１５）と接続され、計測装置１０で計測された計測結果（反射特性）を取得しうる。また、本実施形態の情報処理装置１８は、ＬＣＤなどの表示部１８ｆ（ディスプレイ）を有し、出力部１８ｃは、計測装置１０で得られた計測結果を表示部１８ｆに表示させる表示制御部としても機能しうる。
【００１２】
計測装置１０は、例えば、計測部１２、出力部１３、入力部１４（操作部）および制御部１５を含み、物体（被計測物）の特性を計測する。本実施形態では、計測装置１０が、物体の特性として、当該物体の被計測面２０の反射特性を計測する例について説明するが、計測装置１０が計測する物体の特性は、被計測面２０の反射特性に限られるものではない。計測部１２は、筐体１１の内部（筐体内）に設けられており、筐体１１により外光を遮断した状態で、筐体１１の下面に設けられた開口部を介して被計測面２０の反射特性を示す複数種類の指標値（物体の複数種類の特性）を計測する。本実施形態の出力部１３は、筐体の上面に設けられたＬＣＤなどの表示部１３ａ（ディスプレイ）に被計測面の反射特性などを表示させる表示制御部として機能しうる。入力部１４は、筐体１１の上面に設けられた複数のボタン１４ａを介して、ユーザからの各種設定を受け付ける。本実施形態の入力部１４は、複数のボタン１４ａを有するが、それに限られず、例えば、筐体１１の上面に設けられた表示部１３ａ（ディスプレイ）をタッチパネル式とし、当該タッチパネル式の表示部１３ａを含んでもよい。制御部１５は、例えば、ＣＰＵ等を有する処理部１５ａと、メモリ等を有する記憶部１５ｂとを含み、計測部１２、出力部１３および入力部１４を制御する。また、計測装置１０には、電源ボタン１６および通信Ｉ／Ｆ１７（ＵＳＢポート）が筐体１１（の側面）に設けられうる。
【００１３】
ここで、本実施形態において、反射特性を示す複数種類の指標値は、鏡面光沢度、ヘイズ、ＤＯＩ（Distinctness of Image）、写像性、ＢＲＤＦの半値幅、反射率およびうねりのうちのいずれかを含みうる。これら複数種類の指標値のうちの幾つかについて説明すると、鏡面光沢度は正反射成分の光量を示し、ヘイズは正反射成分周辺の光の分布を示し、ＤＯＩおよび写像性は写り込み像のコントラストの低下を示している。
【００１４】
次に、計測部１２の構成、および計測部１２により被計測面２０の反射特性（複数種類の指標値）を計測する方法について、図３を参照しながら説明する。図３は、計測部１２の構成を示す図である。計測部１２は、被計測面２０に光を照射する照射部と、被計測面２０で反射された光（反射光）を検出する検出部とを含みうる。例えば、照射部は、光源１２ａ、レンズ１２ｂ、スリット１２ｃおよびレンズ１２ｄを含み、検出部は、レンズ１２ｅおよびセンサ１２ｆを含みうる。
【００１５】
光源１２ａから射出された光束は、レンズ１２ｂによりスリット１２ｃに集光される。スリット１２ｃには、光源１２ａの像がいったん結像されて矩形の２次光源となる。スリット１２ｃから射出された光束は、再び発散光束となり、レンズ１２ｄにより平行光とされて被計測面２０を照射する。被計測面２０からの反射光は、被計測面２０の反射特性による特有の反射パターンとなり、レンズ１２ｅにより集束されて、センサ１２ｆの受光面により受光される。センサ１２ｆは、例えば、ＣＣＤやＣＭＯＳなどで構成された光電変換素子が二次元的に配列されたエリアセンサを含み、センサ１２ｆの受光面に形成される反射光の強度分布は、図３の破線内に示すように、角度に応じて強度が変化する反射パターンとなる。このようにセンサ１２ｆによって検出された反射光の強度分布に基づいて被計測面２０の反射特性を示す複数種類の指標値が求められる。
【００１６】
例えば、検出された反射光の強度分布に基づいてＢＲＤＦを求める際には、例えば特開２０１６−２１１９９９号公報に記載されているように、当該強度分布のフーリエ変換からスリット情報のフーリエ変換を除算してＢＲＤＦのフーリエ変換を求める。これを逆フーリエ変換することで、被計測面のＢＲＤＦを求めることができる。ＢＲＤＦ（双方向反射率分布関数：Bidirectional Reflectance Distribution Function）とは、被計測面の反射率の分布を表す関数であり、入射光の照度に対する反射光の輝度の比率を表す。より厳密には、物体表面上のある点でのＢＲＤＦは、入射および反射の双方向に依存し、照射方向からの入射光の強度に対する反射光（拡散光）の強度の比として定義される。また、鏡面光沢度、ヘイズ、ＤＯＩおよび写像性の指標値は、点像分布関数としてのＢＲＤＦではなく矩形スリットのボケ像としての強度分布に基づいて取得または生成（算出）されうる。そのため、検出された反射光の強度分布に基づいて、テーブルを参照したり、装置情報をコンボリューションしたりすることで、それらの指標値を求めることができる。
【００１７】
ここで、被計測面２０の反射特性を計測する際に照射部により被計測面２０に照射される光の入射角θ（被計測面２０からの反射光の反射角θ’）は、ＪＩＳやＩＳＯなどに従って、反射特性の指標（規格）ごとに規定される。そのため、例えば、反射特性の指標として鏡面光沢度を計測する場合では、入射角θは、２０度、４５度、６０度、７５度および８５度のいずれかに設定される。また、反射特性の指標としてヘイズを計測する場合では、入射角θは、２０度および３０度のいずれかに設定される。反射特性の指標として写像性を計測する場合では、入射角θは、４５度および６０度のいずれかに設定される。反射特性の指標としてＤＯＩを計測する場合では、入射角θは、２０度および３０度のいずれかに設定される。本実施形態の計測部１２では、入射角θが互いに異なるように照射部と検出部との対が複数設けられてもよいし、入射角θを変更することができるように照射部および検出部を駆動する駆動部が設けられてもよい。
【００１８】
このように計測部１２により計測された被計測面２０の反射特性を示す複数種類の指標値は、筐体１１に設けられた表示部１３ａに出力部１３によって表示される。もしくは、無線やケーブルにより通信Ｉ／Ｆ１７（通信Ｉ／Ｆ１８ｅ）を介して情報処理装置１８（処理部１８ａ）に送られ、情報処理装置１８の出力部１８ｃによって表示部１８ｆ（ディスプレイ）に表示される。
【００１９】
ここで、従来の計測装置では、計測した複数種類の指標値（数値）を表示するだけであり、ユーザは、表示された複数種類の指標値を参照しながら被計測面２０（物体）の評価を行っていた。しかしながら、ユーザは、複数種類の指標値を参照するだけでは、各指標値が、被計測面２０について要求される許容範囲に収まっているのか否かを一見して判断することができず、被計測面２０（物体）の評価を容易に且つ迅速に行うことが困難であった。そこで、本実施形態の計測システム１００は、計測部１２により計測された複数種類の指標値の各々について、指標値の種類ごとに設定された許容範囲内にあるか否かの判定を行う。そして、複数種類の指標値の各々についての当該判定に結果を論理変数（演算要素）とする論理式に基づいて、被計測面２０の反射特性の総合的な評価（物体の評価（合否判定））を行い、それにより得られた評価結果（合否判定の結果）を出力する。
【００２０】
以下に、計測部１２により計測された複数種類の指標値に基づいて被計測面２０の総合的な評価を行う方法について説明する。ここで、本実施形態では、被計測面２０の総合的な評価を情報処理装置１８の処理部１８ａが行い、その評価結果を出力部１８ｃによって表示部１８ｆに表示する例について説明する。しかしながら、それに限られるものではなく、被計測面２０の総合的な評価を計測装置１０の内部において行ってもよい。例えば、被計測面２０の総合的な評価を制御部１５の処理部１５ａが行い、その評価結果を出力部１３によって表示部１３ａ（または表示部１８ｃ）に表示してもよい。
【００２１】
図４は、複数回（５回）にわたる反射特性の計測により得られた複数の計測結果の一覧が表示された表示部１８ｆの画面（一覧ウィンドウ３０）の一例を示す図である。処理部１８ａは、一覧ウィンドウ３０のデータ受信ボタン３１が入力部１８ｄを介してユーザにより押下されると、計測部１２による複数回の反射特性の計測により得られ且つ制御部１５の記憶部１５ｂに記憶された複数の計測結果を制御部１５から取得する。そして、処理部１８ａは、制御部１５から取得した複数の計測結果を記憶部１８ｂに記憶させ、複数の計測結果の一覧を一覧ウィンドウ３０の領域３２に出力部１８ｃによって表示する。各計測結果は、被計測面２０の反射特性を示す複数種類の指標値を含み、図４に示す例では、複数種類の指標値として指標Ａ、指標Ｂおよび指標Ｃが表示されている。一覧ウィンドウ３０に表示される指標値は、鏡面光沢度、ヘイズ、ＤＯＩ（Distinctness of Image）、写像性、ＢＲＤＦ半値幅、反射率およびうねりのいずれかであり、ユーザによって任意に設定されうる。
【００２２】
処理部１８ａは、各計測結果における複数種類の指標値の各々について、指標値の種類ごとに予め設定された許容範囲内にあるか否かの判定を行う。即ち、処理部１８ａは、当該判定を行う判定部１８ａ１を含みうる（図２参照）。そして、処理部１８ａは、図４に示すように、出力部１８ｃにより、許容範囲内にない指標値と許容範囲内にある指標値とを識別可能に表示部１８ｆに出力する（表示させる）。識別可能に表示させる１つの方法としては、複数の計測結果の一覧（領域３２）において、許容範囲内にない指標値（または、許容範囲内にある指標値）を、ハイライト表示するなどの強調表示を行う。例えば、指標Ａについての許容範囲が１０以上かつ２０以下に設定され、指標Ｂについての許容範囲が４０以上かつ５０以下に設定され、指標Ｃについての許容範囲が７０以上かつ８０以下に設定されているとする。この場合において、図４に示す一覧ウィンドウ３０におけるＮｏ．１の計測結果に着目すると、指標Ａは許容範囲内の１５．６であるのに対し、指標Ｂは許容範囲外の５０．２、および指標Ｃは許容範囲外の６８．８である。そのため、処理部１８ａは、Ｎｏ．１の計測結果の指標Ｂおよび指標Ｃをハイライト表示する（強調表示する）。強調表示には、ハイライト表示（背景色を変えた表示）の他に、背景の模様を変えた表示や、文字色を変えた表示も含まれうる。これにより、ユーザは、計測部１２により計測された複数種類の指標値の各々が許容範囲内にあるか否かを、一覧ウィンドウ３０を一見するだけで迅速に判断することができる。
【００２３】
ここで、処理部１８ａは、入力部１８ｄを介したユーザによる入力に基づいて、指標値の種類ごとの許容範囲を設定する範囲設定部１８ａ２（許容範囲設定部）を含みうる（図２参照）。図５は、指標値の種類ごとの許容範囲を設定する際に表示部１８ｆに表示される画面（設定ウィンドウ４０）を示す図である。設定ウィンドウ４０は、指標値の種類ごとに、最小許容値と最大許容値とを設定するための領域４１を含み、入力部１８ｄを介してユーザにより指標値の種類ごとの最小許容値と最大許容値とが入力される。これにより、処理部１８ａ（範囲設定部１８ａ２）は、指標値の種類ごとの許容範囲を設定することができる。
【００２４】
次に、処理部１８ａは、入力部１８ｄを介したユーザによる入力に基づいて論理式を設定し、設定した論理式に基づいて、被計測面２０の反射特性の総合的な評価（合否判定、論理判定）を計測結果ごとに行う。即ち、処理部１８ａは、当該評価を行う評価部１８ａ３を含みうる（図２参照）。そして、処理部１８ａは、出力部１８ｃにより、各計測結果についての反射特性の総合的な評価結果（合否判定の結果）を、一覧ウィンドウ３０の論理判定の欄に出力する（表示させる）。このとき、処理部１８ａは、合格の表示と不合格の表示とを識別可能に表示するとよい。具体的には、不合格（ＮＧ）の表示（または、合格（ＯＫ）の表示）を、ハイライト表示するなどの強調表示を行うとよい。
【００２５】
論理式は、複数種類の指標値の各々について許容範囲内にあるか否かの判定の結果を論理変数（演算要素）として、被計測面２０の反射特性を総合的に評価するための式であり、ユーザにより任意に設定されうる。つまり、処理部１８ａは、入力部１８ｄを介したユーザによる入力に基づいて、論理式を設定する論理式設定部１８ａ４を含みうる（図２参照）。ここで、処理部１８ａ（論理式設定部１８ａ４）は、ユーザによる入力に基づいて、複数種類の指標値のうちいずれかの指標値が許容範囲内にあれば合格に相当する真理値を有する論理式（即ち、合格判定とする論理式）を設定することができる。換言すると、処理部１８ａ（論理式設定部１８ａ４）は、ユーザによる入力に基づいて、論理演算子として論理和を含む論理式を設定することができる。
【００２６】
例えば、図５に示す設定ウィンドウ４０の領域４２に、論理積（ＡＮＤ「＊」）や論理和（ＯＲ「＋」）を論理演算子として含む論理式が、入力部１８ｄを介してユーザにより入力されうる。図５に示す例では、設定ウィンドウ４０の領域４２に、「指標Ａ＊（指標Ｂ＋指標Ｃ）」から成る論理式が入力されている。このような論理式では、指標Ａが許容範囲内にあり、指標Ｂおよび指標Ｃの少なくとも一方が許容範囲内にあるときに、被計測面２０の反射特性の総合的な評価が「合格（ＯＫ）」となる。
【００２７】
図４の一覧ウィンドウ３０に示すＮｏ．１の計測結果では、指標Ａは許容範囲内にあるものの、指標Ｂおよび指標Ｃは共に許容範囲内にないため、合否判定は「不合格（ＮＧ）」となる。一方、Ｎｏ．５の計測結果では、指標Ｃが許容範囲内にないものの、指標Ａおよび指標Ｂがともに許容範囲内にあるため、合否判定は「合格（ＯＫ）」となる。このような合否判定を、反射特性の計測結果とともに一覧ウィンドウ３０に表示することにより、ユーザは、反射特性の総合的な評価を、一覧ウィンドウ３０を一見するだけで容易に且つ迅速に判断することができる。
【００２８】
ここで、論理式は、被計測面２０の種類（属性）ごとに複数記憶され、記憶された複数の論理式の中から１つの論理式を、被計測面２０の種類（属性）に応じてユーザが選択する構成であってもよい。この構成では、処理部１８ａ（論理式設定部１８ａ４）は、ユーザに選択された当該１つの論理式を、反射特性の総合的な評価に使用する論理式として設定する。また、本実施形態では、論理式において「指標Ａ」等の用語を用いたが、それに限られず、「指標Ａ」等の用語の代わりに「１」や「Ａ」などの記号を用いてもよい。論理式において、論理積を示す「＊」の代わりに「ＡＮＤ」や「∩」、「∧」などの記号を用いてもよく、論理和を示す「＋」の代わりに「ＯＲ」や「∪」、「∨」などの記号を用いてもよい。さらに、本実施形態では、合否判定の結果として「ＯＫ／ＮＧ」を表示したが、それに限られず、「合格／不合格」、「可／不可」、「○／×」などの他の記号を用いてもよい。「花のアイコン／無印」や「無印／髑髏のアイコン」などを用いてもよい。
【００２９】
＜第２実施形態＞
第２実施形態では、第１実施形態で説明した機能に対して付加可能な機能について説明する。ユーザは、反射特性の所定の指標について設定した許容範囲と、当該所定の指標についての複数の計測結果の度数分布（ヒストグラム）との対応関係を確認し、許容範囲をさらに適切な範囲に設定し直したい場合がある。そのため、処理部１８ａは、出力部１８ｃにより、複数種類の指標のうちユーザによって選択された指標についてのヒストグラムを表示部１８ｆに出力する（表示させる）。
【００３０】
例えば、処理部１８ａは、図５に示す設定ウィンドウ４０の「指標Ｂ」のタイトル欄が押下されることによって「指標Ｂ」が選択されると、指標Ｂについてのヒストグラムを表示する。図６は、指標Ｂについてのヒストグラムが表示された画面（統計ウィンドウ５０）を示す図である。図６に示す例では、指標Ｂについて、計測部１２により過去に行われた複数の計測結果の全てを統計対象としたヒストグラムが表示されている。しかしながら、それに限られず、被計測面２０の種類（属性）ごとの計測結果を統計対象としたヒストグラムを表示してもよいし、一覧ウィンドウ３０に表示された計測結果のみを統計対象としたヒストグラムが表示されてもよい。また、図６に示すヒストグラムでは、設定ウィンドウ４０においてユーザにより設定された指標Ｂについての許容範囲の度数を示すバー５１が強調表示されている。ユーザは、このように表示されたヒストグラムを確認することにより、指標Ｂについての許容範囲をさらに適切な範囲に設定することができる。
【００３１】
＜第３実施形態＞
第３実施形態では、第１実施形態で説明した機能に対して付加可能な機能について説明する。
【００３２】
付加可能な１つ目の機能としては、一覧ウィンドウ３０のタイトル欄が入力部１８ｄを介してユーザにより押下されたときに、複数の計測結果をソートする機能である。例えば、「指標Ａ」のタイトル欄がユーザにより押下されたとき、処理部１８ａは、指標Ａについての指標値を昇順または降順にソートするように、複数の計測結果を並べ替える。これにより、ユーザは、指標の種類ごとに、指標値の変遷と合否判定の結果との境界を容易に確認することできる。指標Ｂおよび指標Ｃについても同様である。また、「論理判定」のタイトル欄がユーザにより押下されたとき、処理部１８ａは、複数の計測結果を、「合格（ＯＫ）」の計測結果のグループと「不合格（ＮＧ）」の計測結果のグループとに分ける。これにより、ユーザは、合格および不合格それぞれにおける指標値の傾向を容易に確認することができる。
【００３３】
付加可能な２つ目の機能としては、一覧ウィンドウ３０のタイトル欄が入力部１８ｄを介してユーザにより移動（ドラッグ）されることで、列を入れ替える機能である。例えば、ユーザは、指標Ａおよび指標Ｃのみを確認したい場合、指標Ｃの列を指標Ａの列の隣に移動させることにより、指標Ａと指標Ｃとを容易に確認することができる。
【００３４】
付加可能な３つ目の機能としては、一覧ウィンドウ３０における各指標の列および論理判定の列の表示／非表示を切り替える機能である。例えば、指標Ａおよび指標Ｃのみを確認したい場合、指標Ｂの列を非表示にすることにより、指標Ａと指標Ｃとを隣接させて容易に確認することができる。また、全ての指標の列を非表示することにより、合否判定の結果（論理判定の列）のみが表示されたシンプルな画面とすることができる。更に、論理判定の列を非表示にすることもできる。
【００３５】
付加可能な４つ目の機能としては、一覧ウィンドウ３０に表示された複数の計測結果のうち、入力部１８ｄを介してユーザにより選択された計測結果の表示／非表示を切り替える機能である。これにより、不要な計測結果を非表示にすることができる。例えば、図４に示す一覧ウィンドウ３０において、合格判定となったＮｏ．２およびＮｏ．５の計測結果を非表示にすることにより、不合格判定となった計測結果（Ｎｏ．１、Ｎｏ．３、Ｎｏ．４）のみを表示することができる。
【００３６】
＜第４実施形態＞
第１実施形態では、一覧ウィンドウ３０のデータ受信ボタン３１が押下されたことによって、制御部１５の記憶部１５ｂに記憶された複数の計測結果を一覧表示する例について述べた。しかしながら、それに限られるものではなく、一覧ウィンドウ３０のファイル読込ボタン３３が押下されたことによって、情報処理装置１８の記憶部１８ｂに既に記憶された複数の計測結果を一覧表示してもよい。ここで、一覧ウィンドウ３０には、ファイル保存ボタン３４がある。このファイル保存ボタン３４がユーザにより押下されると、処理部１８ａは、領域３２に表示している複数の計測結果を、許容範囲内にあるか否かの判定および合否判定とともに記憶部１８ｂに記憶（保存）させる。
【００３７】
＜第５実施形態＞
第１実施形態では、合否判定（反射特性の総合的な評価）の結果を、情報処理装置１８の出力部１８ｃによって表示部１８ｆに表示することにより（または、計測装置１０の出力部１３によって表示部１３ａに表示することにより）出力した。しかしながら、これに限られるものではなく、計測システム１００では、合否判定の結果をサウンドによって出力してもよい。例えば、出力部１８ｃは、一覧ウィンドウ３０に表示された複数の計測結果のうち、入力部１８ｄを介してユーザにより選択された（押下された）計測結果について、「ピンポン／ブー」などのサウンドによって合否判定の結果を出力してもよい。
【００３８】
また、計測システム１００では、ＬＥＤなどの発光素子を筐体１１に設け、計測部１２による被計測面２０の反射特性の計測ごとに、当該発光素子の点灯や発光色によって合否判定の結果を出力してもよい。この場合、例えば、計測装置１０の制御部１５（処理部１５ａ）が、論理式を用いた合否判定を行い、出力部１３が、合否判定の結果を当該発光素子に出力する。例えば、制御部１５は、計測部１２による被計測面２０の反射特性の計測が終了すると、その都度、計測部１２により計測された複数種類の指標値に基づいて合否判定を行い、その合否判定の結果を、発光素子の点灯や発光色によって出力する。具体的には、制御部１５（出力部１３）合否判定における「合格／不合格」を、発光素子の「一定時間点灯／一定時間点滅」、または「青色発光／赤色発光」などによって出力する。
【００３９】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４０】
以上、本発明の好ましい実施形態について説明したが、本発明はこれらの実施形態に限定されないことはいうまでもなく、その要旨の範囲内で種々の変形および変更が可能である。
【符号の説明】
【００４１】
１０：計測装置、１１：筐体、１２：計測部、１３：表示部、１４：入力部、１５：制御部、１８：情報処理装置、１００：計測システム
【図１】
2018112533.tif 000003
【図２】
2018112533.tif 000004
【図３】
2018112533.tif 000005
【図４】
2018112533.tif 000006
【図５】
2018112533.tif 000007
【図６】
2018112533.tif 000008